(57)【特許請求の範囲】
【請求項１】
サイドフレームの長手方向一端部にＬ字状の第１の連結具の一辺がねじによって連結され、他辺がヘッドボードの幅方向の端部にねじによって連結されたベッドを有し、このベッドの上記サイドフレームの長手方向一端部の側方に設置されるベッド用収納家具において、
一端部に所定方向に沿って長い第１の長孔が形成され、他端部に第１の長孔に対して交差する方向に長い第２の長孔が形成された第２の連結具を有し、この第２の連結具は、第１の長孔と第２の長孔とのどちらか一方が上記ヘッドボードに連結された上記第１の連結具の一辺とともに上記ねじによって上記ヘッドボードに連結され、他方が上記ベッド用収納家具の側面に連結されることを特徴とするベッド用収納家具。
【請求項２】
ベッド用収納家具は、基部と、前面に棚部が形成され下端部が上記基部に高さ調整可能に連結された背板とからなることを特徴とする請求項１記載のベッド用収納家具。
【発明の詳細な説明】
【０００１】
【発明の属する技術分野】
この発明はベッドの側方に設置されるベッド用収納家具に関する。
【０００２】
【従来の技術】
たとえば、ベッドを使用する場合、枕元に小物類を置く場所を確保したいことがある。そのような場合、ベッドの側方に収納家具を設置するということが行われることがある。
【０００３】
ベッドの側方に収納家具を設置する場合、収納家具を安定した状態で確実に設置できるようにするため、この収納家具をベッドに連結具を用いて連結するということが行われる。
【０００４】
【発明が解決しようとする課題】
収納家具をベッドに連結具を用いて連結する場合、連結具の一端部をベッドに連結し、他端部を収納家具に連結することになる。
【０００５】
その場合、上記連結具を用いての収納家具をベッドに連結する作業を容易かつ迅速に行えるようにすることが望ましく、さらにはベッドには種々のサイズがあるため、異なるサイズのベッドに対しても収納家具を確実に連結できる連結具であることが望まれる。
【０００６】
この発明は、収納家具を連結具によってベッドに容易かつ迅速に連結することができ、しかもベッドのサイズが異なっても確実に連結固定することができるようにしたベッド用収納家具を提供することにある。
【０００７】
【課題を解決するための手段】
請求項１の発明は、サイドフレームの長手方向一端部にＬ字状の第１の連結具の一辺がねじによって連結され、他辺がヘッドボードの幅方向の端部にねじによって連結されたベッドを有し、このベッドの上記サイドフレームの長手方向一端部の側方に設置されるベッド用収納家具において、
一端部に所定方向に沿って長い第１の長孔が形成され、他端部に第１の長孔に対して交差する方向に長い第２の長孔が形成された第２の連結具を有し、この第２の連結具は、第１の長孔と第２の長孔とのどちらか一方が上記ヘッドボードに連結された上記第１の連結具の一辺とともに上記ねじによって上記ヘッドボードに連結され、他方が上記ベッド用収納家具の側面に連結されることを特徴とするベッド用収納家具にある。
【０００９】
請求項２の発明は、ベッド用収納家具は、基部と、前面に棚部が形成され下端部が上記基部に高さ調整可能に連結された背板とからなることを特徴とする請求項１記載のベッド用収納家具にある。
【００１０】
請求項１の発明によれば、ベッドに収納家具を連結する第２の連結具を、第１の連結具によって連結されるベッドのサイドフレームとヘッドボードとの連結箇所に設けるようにしたことで、第２の連結具の取付けを容易かつ迅速に行うことができ、しかも第２の連結具には、ベッドの幅方向と高さ方向に対する取付け位置の調整可能な第１の取付部と第２の取付部を設けたから、サイズの異なるベッドであっても、収納家具を確実に取付けることができる。
【００１１】
請求項２の発明によれば、背板に設けられた棚部の高さを調整することができるから、ベッドの高さが変わった場合に、棚部をマットレス上の利用者が利用し易い高さに変えることができる。
【００１２】
【発明の実施の形態】
以下、この発明の実施の形態を図面を参照して説明する。
【００１３】
図１乃至図４はこの発明の第１の実施の形態を示し、図１に示すベッド１はベッド本体２を備えている。このベッド本体２は所定間隔で平行に離間対向した一対のサイドフレーム３の長手方向一端にヘッドボード４が連結され、他端にフットボード５が連結されている。
【００１４】
上記サイドフレーム３の内面には図３に示すように受け桟６が長手方向に沿って設けられ、この受け桟６には図４に鎖線で示す床板７が幅方向両端部を係合させて架設されている。この床板７上に図１に示すマットレス８が載置される。マットレス８のヘッドボード４側の一端部には枕９が載置され、上面には全体を覆う掛け布団１１が周辺部をマットレス８の外周面に垂らす状態で掛けられる。
【００１５】
上記サイドフレーム３とヘッドボード４とは第１の連結具１２によって連結される。この第１の連結具１２は、図２と図３に示すように金属板をＬ字状に折曲して形成されていて、その一辺がサイドフレーム３の一端部内面にねじ１３によって固定される。この第１の連結具１２の他辺には図２に示すように下方に向かって開放した一対の鉤部１４が上下方向に形成されている。
【００１６】
図３と図４に示すように、上記ヘッドボード４の幅方向両端部にはそれぞれ一対のナット１５が上下方向に所定間隔で埋め込まれ、これらナット１５にはねじ１６がヘッドボード４の内面側から螺合される。それによって、サイドフレーム３の一端にヘッドボード４が連結固定されることになる。
【００１７】
上記サイドフレーム３とヘッドボード４との連結部分には第２の連結具１７の一端部が連結固定される。この第２の連結具１７は図４に示すように一端部に上下方向に所定間隔で平行に離間した第１の取付部としての一対の第１の長孔１８がベッド１の幅方向に沿って形成され、他端部には第２の取付部としての第２の長孔１９がベッド１の高さ方向に沿って形成されている。
【００１８】
上記第２の連結具１７は、第１の連結具１２によってサイドフレーム３の端部にヘッドボード４を連結するときに、その一端部を第１の連結具１２とヘッドボード４の内面との間に挿入し、その一端部に形成された第１の長孔１８にねじ１６が通される。それによって、第２の連結具１７は一端部がベッド本体２に固定されることになる。
【００１９】
第２の連結具１７の他端部は、図３に示すようにサイドフレーム３の外方、つまりベッド１の幅方向外方に突出し、その部分にはベッド用の収納家具２１が連結固定される。この収納家具２１は図２に示すように箱型状の基部２２と、この基部２２の外面に下端部が取付けられた背板２３と、この背板２３の前面に設けられた複数の棚部２４とからなる。
【００２０】
上記基部２２の一側面には図３に示すように２つのナット（１つのみ図示）２５が埋設されていて、このナット２５にはねじ２６が上記第２の連結具１７の他端部に形成された第２の長孔１９を通して螺合される。それによって、上記収納家具２１は背板２３の棚部２４が設けられた面をベッド１側に向けてこのベッド１に第２の連結具１７によって連結固定されることになる。
【００２１】
なお、基部２２の一側面だけでなく、他側面にもナット２５を埋設しておけば、収納家具２１をベッド１の幅方向一側だけでなく、他側に設置した場合にも、その他側のヘッドボード４とサイドフレーム３との連結部分に設けられる第２の連結具１７に連結して設置することが可能となる。
【００２２】
上記収納家具２１は、図４に示すように基部２２の背面に複数のナット２７が上下方向に所定間隔で埋設され、背板２３の下端部には上記ナット２７に螺合するねじ２８を通すための通孔２９が形成されている。
【００２３】
そのため、ねじ２８を螺合させるナット２７の位置を選択することで、上記基部２２に対する背板２３の取付け高さを変えることができるようになっている。つまり、背板２３の前面に設けられた棚部２４の高さを変えることができる。
【００２４】
このような構成によれば、ベッド用の収納家具２１は第２の連結具１７によってベッド本体２に連結固定されてヘッドボード４側の側方に設置されることになる。
【００２５】
そのため、収納家具２１は、ベッド本体２と一体的に連結されるから、使用中にずれ動いたり、不用意な外力によって転倒するなどのことを防止することができる。
【００２６】
収納家具２１をベッド本体２に連結した第２の連結具１７には、ベッド本体２に連結される一端部にベッド１の幅方向に沿って長い第１の長孔１８が形成され、収納家具２１を連結する他端部に上下方向に沿って長い第２の長孔１９が形成されている。
【００２７】
そのため、第２の連結具１７は、第１の長孔１８によってベッド１の幅方向に対する取付け位置の調整が可能であり、第２の長孔１９によって収納家具２１の高さ方向に対する取付け位置の調整が可能である。
【００２８】
たとえば、ベッド１のサイズが異なることで、一辺がサイドフレーム３に連結された第２の連結具１２の他辺をヘッドボード４に連結するねじ１６の位置がベッド１の幅方向や高さ方向に対して変化しても、ベッド１の幅方向に対しては第１の長孔１８によって調整することができ、高さ方向に対しては第２の長孔１９によって調整することができる。
【００２９】
その結果、第２の連結具１７の他辺によって連結固定される収納家具２１を、ベッド１のサイズ変更に係らず、ベッド本体２の側方に上記第２の連結具１７によって確実に連結して設置することができる。
【００３０】
ベッド１の高さ寸法が異なる場合、床板７に載置されるマットレス８の高さも変化する。そのため、マットレス８上の利用者が利用し易い収納家具２１の棚部２４の高さ位置も変化する。
【００３１】
そのような場合には、棚部２４が設けられた背板２３の基部２２に対する取付け高さを調整する。それによって、棚部２４の高さをマットレス８上の利用者が利用し易い高さに変えることができる。
【００３２】
この第１の実施の形態において、第２の連結具１７は図４に示す状態に対して上下逆方向にして利用するようにしてもよい。そうすれば、第１の長孔１８の高さ位置を図４に示す状態よりも低くすることができるから、ヘッドボード４に螺合されるねじ１６の位置が低い場合に対応することが可能となる。
【００３３】
図５はこの発明の第２の実施の形態で、この実施の形態は収納家具２１の側面に、第２の連結具１７の第１の長孔１８が形成された端部をねじ２６によって連結し、第２の長孔１９が形成された端部をヘッドボード４と第１の連結具１２との間に挿入して上記ヘッドボード４にねじ１６（図３に示す）によって固定するようにした。
【００３４】
このような構成であっても、収納家具２１をベッド本体２の幅方向と高さ方向に対して取付け位置の調整をして取付けることが可能である。
【００３５】
【発明の効果】
請求項１の発明によれば、ベッドに収納家具を連結する第２の連結具を、第１の連結具によって連結されるベッドのサイドフレームとヘッドボードとの連結箇所に設けるようにした。
【００３６】
そのため、ベッドに対する第２の連結具の取付けを、第１の連結具の取付けと同時に行うことができるから、その取付け作業を容易かつ迅速に行うことができる。
【００３７】
しかも、第２の連結具には、ベッドの幅方向と高さ方向に対する取付け位置を調整可能とする第１の長孔と第２の長孔を設けたから、サイズの異なるベッドであっても、収納家具をベッドの側方の所定の位置に、ベッドに連結した状態で確実に設置することができる。
【００３８】
請求項２の発明によれば、収納家具の棚部が設けられた背板を、基部に対して高さ調整できるように設けた。
【００３９】
そのため、上記棚部の高さを調整することができるから、ベッドの高さが変わった場合などに、棚部をマットレス上の利用者が利用し易い高さに変えることができる。
【図面の簡単な説明】
【図１】この発明の第１の実施の形態を示すベッドと収納家具との配置状態を示す斜視図。
【図２】同じくサイドフレームとヘッドボードを連結した第１の連結具を示すベッドの縦断面図。
【図３】同じく第２の連結具によるベッドと収納家具との連結状態を示す一部断面したベッド本体の一部分の平面図。
【図４】同じく図３のＸ−Ｘ線方向から見た側面図。
【図５】この発明の第２の実施の形態を示す第２の連結具を収納家具の側面に連結した状態の側面図。
【符号の説明】
１…ベッド
３…サイドフレーム
４…ヘッドボード
１２…第１の連結具
１７…第２の連結具
１８…第１の長孔（第１の取付部）
１９…第２の長孔（第２の取付部）
２１…ベッド用収納家具
２２…基部
２３…背板
【図１】
0003545971.tif 000002
【図２】
0003545971.tif 000003
【図３】
0003545971.tif 000004
【図４】
0003545971.tif 000005
【図５】
0003545971.tif 000006